(57)【特許請求の範囲】
【請求項１】
水道水を浄化する浄水部と、前記浄水部で浄化した水を加熱する湯沸かし部と、前記浄水部で浄化した水を前記湯沸かし部へ導く給水経路と、キッチンユニット内に配設される本体と、前記浄水部で浄化した水を吐出する出水口と、前記湯沸かし部で加熱した湯を吐出する出湯口とを有し、キッチンユニット上面に配設される吐出ユニットと、前記浄水部で浄化した水を前記出水口へ導く出水経路と、前記湯沸かし部で加熱した湯を前記出湯口へ導く出湯経路とを備え、前記出湯経路は、前記本体に一体又は別体で設けるか、或いは独立してキッチンユニット内に配設された配管保持部材が備える複数個の突起に引っかけられていくことにより、前記吐出ユニットとの接続部から、前記本体との接続部に至る範囲において、前記吐出ユニットから前記本体へと下降する勾配となる状態で保持されて、湯を吐出した後において、その途中に水や湯が貯まる屈曲部をなくし湯が残ったままにならないようにしたことを特徴とする給湯装置。
【請求項２】
水道水を浄化する浄水部と、前記浄水部で浄化した水を加熱する湯沸かし部と、前記浄水部で浄化した水を前記湯沸かし部へ導く給水経路と、キッチンユニット内に配設される本体と、前記浄水部で浄化した水を吐出する出水口と、前記湯沸かし部で加熱した湯を吐出する出湯口とを有し、キッチンユニット上面に配設される吐出ユニットと、前記浄水部で浄化した水を前記出水口へ導く出水経路と、前記湯沸かし部で加熱した湯を前記出湯口へ導く出湯経路とを備え、前記出湯経路は、その途中に、その断面積を変えない状態で折曲させられる回転折曲部が１ヶ所以上形成されることにより、前記吐出ユニットとの接続部から、前記本体との接続部に至る範囲において、前記吐出ユニットから前記本体へと下降する勾配となる状態で保持されて、湯を吐出した後において、その途中に水や湯が貯まる屈曲部をなくし湯が残ったままにならないようにしたことを特徴とする給湯装置。
【請求項３】
水道水を浄化する浄水部と、前記浄水部で浄化した水を加熱する湯沸かし部と、前記浄水部で浄化した水を前記湯沸かし部へ導く給水経路と、キッチンユニット内に配設される本体と、前記浄水部で浄化した水を吐出する出水口と、前記湯沸かし部で加熱した湯を吐出する出湯口とを有し、キッチンユニット上面に配設される吐出ユニットと、前記浄水部で浄化した水を前記出水口へ導く出水経路と、前記湯沸かし部で加熱した湯を前記出湯口へ導く出湯経路とを備え、前記出水経路と前記出湯経路のうちの少なくとも一方の経路の途中もしくは端部に、蛇腹状の伸縮部材からなる経路を配設して、吐出ユニットと前記経路との接続部から、本体と前記経路との接続部に至る経路を、前記吐出ユニットから前記本体へと下降する勾配となるようにして、水や湯が貯まる屈曲部をなくしたことを特徴とする給湯装置。
【発明の詳細な説明】
【０００１】
【発明の属する技術分野】
本発明は、一般家庭の台所や業務用の厨房等で使用されるキッチンユニット内に配設される本体と、キッチンユニットの上面に配設される吐出ユニットとを備えた給湯装置に関するものである。
【０００２】
【従来の技術】
従来この種の給湯装置の概略構成は、図９に示すような構成であった。すなわち図９において１は水道管、２は湯沸かしユニット３に接続した給湯管で、キッチンユニット４の上面に設けられた通常の水栓５にそれぞれ接続されていて、水栓５から水または湯を吐出する構成であった。
【０００３】
一方、水道管１は分岐されており、分岐された水は水用浄水器６によって浄化された後、浄水管７を通って浄水用水栓８から吐出される。また、給湯管２も分岐されており、給湯管２から分岐された湯は湯用浄水器９によって浄化された後、出湯管１０を通って浄水用水栓８から吐出される。ここで、水用浄水器６と浄水管７は浄水管結合部１１で、また湯用浄水器９と出湯管１０は出湯管結合部１２でそれぞれ結合されている。
【０００４】
このような従来の構成では、湯沸かしユニット３や浄水器６，９が個々に独立していることや、器体外に露出した配管が多いことなどにより、施工作業が煩雑なため、整然とした配管とされることは殆どなく、器機に接続した後の配管の処理は施工者が配管状態によって任意に行なってしまい、例えば、配管が余った際には屈曲部１３のように任意に屈曲させたり、円環部１４のように、コイル状に巻き付けて処理をするのが一般的である。このような状態で施工された場合、水や湯を吐出した後においても、屈曲部１３や円環部１４に、水や湯などが残ったままになり、特に湯の場合は、時間の経過とともに冷めてしまい、次回に少量の湯を使用する場合に、冷めた湯の影響で所望の温度の湯が得られず、使い勝手が悪くなるといった課題があった。
【０００５】
【発明が解決しようとする課題】
本発明は、上記従来の問題点に鑑み、配管の途中に水や湯のたまりとなる屈曲部の少ない給湯装置を提供することを目的としている。
【０００６】
【課題を解決するための手段】
本発明は上記課題を解決するために、水道水を浄化する浄水部と、浄水部で浄化した水を加熱する湯沸かし部と、浄水部で浄化した水を湯沸かし部へ導く給水経路とを有し、キッチンユニット内に配設される本体と、浄水部で浄化した水を吐出する出水口と、湯沸かし部で加熱した湯を吐出する出湯口とを備え、キッチンユニット上面に配設される吐出ユニットと、浄水部で浄化した水を出水口へ導く出水経路と、湯沸かし部で加熱した湯を出湯口へ導く出湯経路とを具備し、出水経路と出湯経路は、本体又は吐出ユニットに対して着脱可能な結合部を有し、出水経路と出湯経路のうちの少なくとも一方の経路を、その長さを容易に調節可能、或いは、吐出ユニットから本体へと下降する勾配となるような配管の処理を容易にしたものである。
【０００７】
これにより、器機の配管作業を行なった際に、配管の弛み等による水や湯が貯まる屈曲部を極力なくすことで、所望の温度の湯を提供する給湯装置の性能を十分に発揮することができるものである。
【０００８】
【発明の実施の形態】
本発明の目的は各請求項に記載した構成とすることにより達成できるもので、以下には請求項に記載した構成にその作用効果を併記して実施の形態の説明とする。
【０００９】
請求項１に記載の発明は、水道水を浄化する浄水部と、前記浄水部で浄化した水を加熱する湯沸かし部と、前記浄水部で浄化した水を前記湯沸かし部へ導く給水経路と、キッチンユニット内に配設される本体と、前記浄水部で浄化した水を吐出する出水口と、前記湯沸かし部で加熱した湯を吐出する出湯口とを有し、キッチンユニット上面に配設される吐出ユニットと、前記浄水部で浄化した水を前記出水口へ導く出水経路と、前記湯沸かし部で加熱した湯を前記出湯口へ導く出湯経路とを備え、前記出湯経路は、前記本体に一体又は別体で設けるか、或いは独立してキッチンユニット内に配設された配管保持部材が備える複数個の突起に引っかけられていくことにより、前記吐出ユニットとの接続部から、前記本体との接続部に至る範囲において、前記吐出ユニットから前記本体へと下降する勾配となる状態で保持されて、湯を吐出した後において、その途中に水や湯が貯まる屈曲部をなくし湯が残ったままにならないようにしたことで、作業手順に従って配管作業を実施すれば、結果として配管の弛み等による水や湯が貯まる屈曲部を極力なくした状態になり、所望の温度の湯を提供する給湯装置の性能を十分に発揮したり水垢の堆積を少なくしたりすることができるのである。
【００１０】
請求項２に記載の発明は、水道水を浄化する浄水部と、前記浄水部で浄化した水を加熱する湯沸かし部と、前記浄水部で浄化した水を前記湯沸かし部へ導く給水経路と、キッチンユニット内に配設される本体と、前記浄水部で浄化した水を吐出する出水口と、前記湯沸かし部で加熱した湯を吐出する出湯口とを有し、キッチンユニット上面に配設される吐出ユニットと、前記浄水部で浄化した水を前記出水口へ導く出水経路と、前記湯沸かし部で加熱した湯を前記出湯口へ導く出湯経路とを備え、前記出湯経路は、その途中に、その断面積を変えない状態で折曲させられる回転折曲部が１ヶ所以上形成されることにより、前記吐出ユニットとの接続部から、前記本体との接続部に至る範囲において、前記吐出ユニットから前記本体へと下降する勾配となる状態で保持されて、湯を吐出した後において、その途中に水や湯が貯まる屈曲部をなくし湯が残ったままにならないようにしたことで、配管を折曲させて接続しても残水等がないので、請求項１の発明と同様の効果を発揮するものである。
【００１１】
請求項３に記載の発明は、水道水を浄化する浄水部と、前記浄水部で浄化した水を加熱する湯沸かし部と、前記浄水部で浄化した水を前記湯沸かし部へ導く給水経路と、キッチンユニット内に配設される本体と、前記浄水部で浄化した水を吐出する出水口と、前記湯沸かし部で加熱した湯を吐出する出湯口とを有し、キッチンユニット上面に配設される吐出ユニットと、前記浄水部で浄化した水を前記出水口へ導く出水経路と、前記湯沸かし部で加熱した湯を前記出湯口へ導く出湯経路とを備え、前記出水経路と前記出湯経路のうちの少なくとも一方の経路の途中もしくは端部に、蛇腹状の伸縮部材からなる経路を配設して、吐出ユニットと前記経路との接続部から、本体と前記経路との接続部に至る経路を、前記吐出ユニットから前記本体へと下降する勾配となるようにして、水や湯が貯まる屈曲部をなくしたことで、この蛇腹状の伸縮部材を伸縮させて長さを調整することにより配管の弛み等が防止できるので、請求項１の発明と同様の効果を発揮するものである。
【００１２】
【実施例】
（実施例１）
以下本発明の実施例１について説明する。図１は本実施例の構成を示す説明図であり、キッチンユニットを含む給湯装置全体の構成を示す。図１において、２１は水道管で、キッチンユニット２２の上面に設けられた通常水栓２３に接続され、水が吐出できるよう構成されている。２４は浄水部で、水道管２１から分岐した水道水を浄化する。浄水部２４で浄化された水の一部は出水経路２５を通って吐出ユニット２６に設けられた吐出口２７から吐出される。２８は湯沸かし部で、浄水部２４で浄化された水の一部は切替弁２９の切り替えによって、給水経路３０を通って湯沸かし部２８に送られ加熱される。加熱された湯は出湯経路３１を通って吐出ユニット２６に設けられた吐出口２７から吐出される。この実施例の場合は、吐出口２７は、浄水部２４で浄化された水を吐出する浄水口と湯沸かし部で加熱された湯を吐出する出湯口とを兼ねた構成となっている。また浄水部２４と湯沸かし部２８と給水経路３０は本体３２に内蔵されている。
【００１３】
３３は本体３２に配設された配管保持部材で、複数個の突起３４を備えている。配管の際には、この突起３４に出湯経路３１を引っかけていくことで、吐出ユニット２６と出湯経路３１との接続部から、本体３２と出湯経路３１との接続部に至る経路が大部分の範囲において、吐出ユニット２６から本体３２へと下降する勾配となる状態で保持される。
【００１４】
従って、作業手順に従って配管作業を実施すれば、結果として配管の弛み等による水や湯が貯まる屈曲部を極力なくした状態になり、特に出湯経路３１の残水によって、次回に少量の湯を使用する場合に、冷めた湯の影響で所望の温度の湯が得られず、使い勝手が悪くなるといったことがなく、所望の温度の湯を提供する給湯装置の性能を十分に発揮することができるのである。なお、本実施例１の出水経路２５を上記出湯経路３１と同じ構成としてもよい。
【００１５】
（実施例２）
次に本発明の実施例２について図２から図４を用いて説明する。全体の基本構成は実施例１と同様であるので、実施例１の部分と同じ構成の部分には同一符号を付与して詳細説明は省略する。図２において、出湯経路４１の途中にはその場で回転可能な回転折曲部４２が複数個配設されており、この回転折曲部４２を中心にして、出湯経路４１は回転自在となっている。
【００１６】
図３及び図４は回転折曲部４２の周辺部の詳細を示すもので、４３は第１のジョイント、４４は第２のジョイントで、両者は回転自在に嵌合しており、Ｏリング４５によって水密性が保たれている。４６は第１、第２のジョイント４３，４４の結合を保持するクリップである。これらの部品によって回転折曲部４２が形成されている。第１、第２のジョイント４３，４４の端部にはそれぞれ出湯経路４１の端部が接続されており、この両ジョイントの回転による相対的な位置関係によって、出湯経路４１はその断面積を殆ど変えない状態で自由に折れ曲がるのである。
【００１７】
これによって、吐出ユニット２６と出湯経路４１との接続部から、本体３２と出湯経路４１との接続部に至る経路が大部分の範囲において、吐出ユニット２６から本体３２へと下降する勾配となる状態で保持される。
【００１８】
これによって、配管の弛み等による水や湯が貯まる屈曲部を極力なくした状態になり、実施例１と同様、少量の出湯でも、所望の温度の湯を提供できるのである。なお、本実施例２の出水経路２５を上記出湯経路４１と同じ構成としてもよい。
【００１９】
（参考例１）
次に本発明の参考例１について図５を用いて説明する。全体の基本構成は実施例１と同様であるので、実施例１の部分と同じ構成の部分には同一符号を付与して詳細説明は省略する。図５において、出湯経路中に螺旋状の伸縮部５２が形成してあり、その螺旋が略鉛直方向に伸長するように保持してある。この螺旋状の伸縮部５２が出湯経路の配管の長さの過不足を伸縮することによって吸収し、吐出ユニット２６と出湯経路５１との接続部から、本体３２と出湯経路５１との接続部に至る経路が大部分の範囲において、吐出ユニット２６から本体３２へと下降する勾配となる状態で保持される。これによって、配管の弛み等による水や湯が貯まる屈曲部を極力なくした状態になり、実施例１と同様、少量の出湯でも、所望の温度の湯を提供できるのである。尚、本参考例においては螺旋状の伸縮部５２を本体３２の外に配設しているが、本体３２の内部に配設しても同様の効果を奏する。なお、本参考例１の出水経路２５に上記出湯経路５１と同様に螺旋状の伸縮部５２を設けてもよい。
【００２０】
（参考例２）
次に本発明の参考例２について図６、図７を用いて説明する。全体の基本構成は実施例１と同様であるので、実施例１の部分と同じ構成の部分には同一符号を付与して詳細説明は省略する。図６において、出湯経路６１の途中には、スライドして伸縮する接合部であるスライド部６２が配設されいる。
【００２１】
図７はスライド部６２の詳細を示すもので、６３は第１のパイプで、その内側には、第２のパイプ６４が摺動自在に配されている。６５は両者の離脱を防止するキャップ、６６は第１のパイプ６３と第２のパイプ６４との水密性を保つＯリングである。この摺動により、出湯経路６１全体の長さを調節する事ができ、吐出ユニット２６と出湯経路６１との接続部から、本体３２と出湯経路６１との接続部に至る経路が大部分の範囲において、吐出ユニット２６から本体３２へと下降する勾配となる状態で保持される。これによって、配管の弛み等による水や湯が貯まる屈曲部を極力なくした状態になり、実施例１と同様、少量の出湯でも、所望の温度の湯を提供できるのである。
【００２２】
尚、本参考例においてはスライド部６２を本体３２の外に配設しているが、本体３２の内部に配設しても同様の効果を奏する。また、出水経路２５を出湯経路６１と同様な構成としてもよい。
【００２３】
（実施例３）
次に本発明の実施例３について図８を用いて説明する。全体の基本構成は実施例１と同様であるので、実施例１の部分と同じ構成の部分には同一符号を付与して詳細説明は省略する。図８において出湯経路７１の途中には、蛇腹状の伸縮部材からなる経路である蛇腹部７２が配設されいる。この蛇腹部７２の伸縮によって、出湯経路７１全体の長さを調節する事ができ、吐出ユニット２６と出湯経路７１との接続部から、本体３２と出湯経路７１との接続部に至る経路が大部分の範囲において、吐出ユニット２６から本体３２へと下降する勾配となる状態で保持される。これによって、配管の弛み等による水や湯が貯まる屈曲部を極力なくした状態になり、実施例１と同様、少量の出湯でも、所望の温度の湯を提供できるのである。
【００２４】
尚、上記の実施例においては出湯経路側の長さ調整及び弛みの防止について説明したのであるが、出水経路２５に対しても同様の構成にしてもよく、水垢の堆積の防止などの効果を奏する。これは出湯経路７１側についても同様の効果があるのは勿論である。
【００２５】
尚、本実施例においては蛇腹部７２を本体３２の外に配設しているが、本体３２の内部に配設しても同様の効果を奏する。
【００２６】
また、本実施例では出水口と出湯口が一つで兼用しているが、個別に設けたものでもよい。
【００２７】
【発明の効果】
以上のように本発明によれば配管の弛み等による水や湯が貯まる屈曲部を極力なくした状態で配管を行なうことが容易で、特に出湯経路の残水によって、次回に少量の湯を使用する場合に、冷めた湯の影響で所望の温度の湯が得られず、使い勝手が悪くなるといったことがなく、所望の温度の湯を提供する給湯装置の性能を十分に発揮することができるとともに、水垢の堆積も大幅に低減することができるのである。
【図面の簡単な説明】
【図１】  本発明の実施例１における給湯装置の構成図
【図２】  本発明の実施例２における給湯装置の構成図
【図３】  同回転折曲部を示す要部拡大断面図
【図４】  同要部拡大分解斜視図
【図５】  本発明の参考例１における給湯装置の構成図
【図６】  本発明の参考例２における給湯装置の構成図
【図７】  同スライド部を示す要部拡大断面図
【図８】  本発明の実施例３における給湯装置の構成図
【図９】  従来の技術による給湯装置の構成図
【符号の説明】
２１  水道管
２２  キッチンユニット
２３  通常水栓
２４  浄水部
２５  出水経路
２６  吐出ユニット
２７  吐出口
２８  湯沸かし部
２９  切替弁
３０  給水経路
３１，４１，５１，６１，７１  出湯経路
３２  本体
３３  配管保持部材
３４  突起
４２  回転折曲部
４３  第１のジョイント
４４  第２のジョイント
５２  螺旋状の伸縮部
６２  スライド部
６３  第１のパイプ
６４  第２のパイプ
７２  蛇腹部
【図１】
0003700620.tif 000002
【図２】
0003700620.tif 000003
【図３】
0003700620.tif 000004
【図４】
0003700620.tif 000005
【図５】
0003700620.tif 000006
【図６】
0003700620.tif 000007
【図７】
0003700620.tif 000008
【図８】
0003700620.tif 000009
【図９】
0003700620.tif 000010